【手続補正書】
【提出日】平成22年3月16日(2010.3.16)
【手続補正１】
【補正対象書類名】特許請求の範囲
【補正対象項目名】全文
【補正方法】変更
【補正の内容】
【特許請求の範囲】
【請求項１】
１または２以上の光学素子と、
上記１または２以上の光学素子を支持する支持体と、
上記１または２以上の光学素子および上記支持体を覆う包括部材と
を備え、
上記１または２以上の光学素子と上記支持体とは積層体をなし、
上記包括部材と上記光学素子または上記支持体とが接触する面の少なくとも一部が、粗面である光学素子包括体。
【請求項２】
１または２以上の光学素子と、
上記１または２以上の光学素子を支持する支持体と
を備えた積層体を有し、
上記積層体の主面を、面積比率で５０％以上覆う包括部材を有し、
上記包括部材と上記光学素子または上記支持体とが接触する面の少なくとも一部が、粗面である光学素子包括体。
【請求項３】
１または２以上の光学素子と、
上記１または２以上の光学素子を支持する支持体と
を備えた積層体を有し、
上記積層体は、光源からの光が入射する入射面と、上記入射面から入射した光を出射する出射面とを有し、
上記積層体の上記入射面は、第１の包括部材によって覆われ、
上記積層体の上記出射面は、第２の包括部材によって覆われ、
上記包括部材と上記光学素子または上記支持体とが接触する面の少なくとも一部が、粗面である光学素子包括体。
【請求項４】
上記包括部材の外側の面の少なくとも一部が粗面である請求項１〜３のいずれか一に記載の光学素子包括体。
【請求項５】
上記粗面の算術平均粗さＲａが、５８．５ｎｍ〜１．５μｍである請求項１〜４のいずれか一に記載の光学素子包括体。
【請求項６】
上記粗面の平均傾斜角度δａが、１５．６〜２５０ｍｒａｄである請求項１〜５のいずれか一に記載の光学素子包括体。
【請求項７】
上記包括部材は、
光源から光が入射する第１の領域と、
上記第１の領域から入射された光を液晶パネルに向けて出射する第２の領域と
を備え、
上記第１の領域および上記第２の領域の少なくとも一方には、構造体または光学機能層が設けられている請求項１〜６のいずれか一に記載の光学素子包括体。
【請求項８】
上記第１の領域および上記第２の領域の少なくとも一方には、光拡散機能層、光集光機能層、反射型偏光機能層および光分割機能層の少なくとも１種が設けられている請求項７記載の光学素子包括体。
【請求項９】
上記包括部材は、熱収縮性を有する高分子材料を含む請求項１〜８のいずれか一に記載の光学素子包括体。
【請求項１０】
上記包括部材が、ビニル芳香族炭化水素と共役ジエンのブロック共重合体を含み、両者の質量比が、９５：５〜５：９５である、請求項１〜９のいずれか一に記載の光学素子包括体。
【請求項１１】
上記ブロック共重合体が、スチレン−ブタジエンブロック共重合体である請求項１０記載の光学素子包括体。
【請求項１２】
上記光学素子の端面または該端面近傍に反射部を備える請求項１〜１１のいずれか一に記載の光学素子包括体。
【請求項１３】
上記積層体の上層に、光集光機能層および反射型偏向機能層の少なくとも１種が設けられている請求項１〜１２のいずれか一に記載の光学素子包括体。
【請求項１４】
上記包括部材は、１軸異方性または２軸異方性を有し、上記包括部材の偏光が５０ｎｍ以下である請求項１〜１３のいずれか一に記載の光学素子包括体。
【請求項１５】
上記１または２以上の光学素子および上記支持体とは、一部接合されている請求項１〜１４のいずれか一に記載の光学素子包括体。
【請求項１６】
上記１または２以上の光学素子および上記支持体とは、各々の端部において一部接合されている請求項１５記載の光学素子包括体。
【請求項１７】
光を出射する光源と、
上記光源から出射された光の特性を改善し、液晶パネルに対して出射する光学素子包括体と
を備え、
上記光学素子包括体は、
１または２以上の光学素子と、
上記１または２以上の光学素子を支持する支持体と、
上記１または２以上の光学素子および上記支持体を覆う包括部材と
を備え、
上記１または２以上の光学素子と上記支持体とは、積層体をなし、
上記包括部材と上記光学素子または上記支持体とが接触する面の少なくとも一部が、粗面であるバックライト。
【請求項１８】
上記包括部材は、上記積層体の主面を面積比率で５０％以上覆う請求項１７に記載のバックライト。
【請求項１９】
光を出射する光源と、
上記光源から出射された光の特性を改善する光学素子包括体と、
上記光学素子包括体により特性が改善された光に基づき、画像を表示する液晶パネルと
を備え、
上記光学素子包括体は、
１または２以上の光学素子と、
上記１または２以上の光学素子を支持する支持体と、
上記１または２以上の光学素子および上記支持体を覆う包括部材と
を備え、
上記１または２以上の光学素子と上記支持体とは、積層体をなし、
上記包括部材と上記光学素子または上記支持体とが接触する面の少なくとも一部が、粗面である液晶表示装置。
【請求項２０】
上記包括部材は、上記積層体の主面を面積比率で５０％以上覆う請求項１９に記載の液晶表示装置。
【手続補正２】
【補正対象書類名】明細書
【補正対象項目名】００１２
【補正方法】変更
【補正の内容】
【００１２】
上述の課題を解決するために、この発明の第１の発明は、
１または２以上の光学素子と、
１または２以上の光学素子を支持する支持体と、
１または２以上の光学素子および支持体を覆う包括部材と
を備え、
１または２以上の光学素子と支持体とは積層体をなし、
包括部材と光学素子または支持体とが接触する面の少なくとも一部が、粗面である光学素子包括体である。
この発明の第２の発明は、
１または２以上の光学素子と、
１または２以上の光学素子を支持する支持体と
を備えた積層体を有し、
積層体の主面を、面積比率で５０％以上覆う包括部材を有し、
包括部材と光学素子または支持体とが接触する面の少なくとも一部が、粗面である光学素子包括体である。
この発明の第３の発明は、
１または２以上の光学素子と、
１または２以上の光学素子を支持する支持体と
を備えた積層体を有し、
積層体は、光源からの光が入射する入射面と、入射面から入射した光を出射する出射面とを有し、
積層体の入射面は、第１の包括部材によって覆われ、
積層体の出射面は、第２の包括部材によって覆われ、
包括部材と光学素子または支持体とが接触する面の少なくとも一部が、粗面である光学素子包括体である。
【手続補正３】
【補正対象書類名】明細書
【補正対象項目名】００１３
【補正方法】変更
【補正の内容】
【００１３】
この発明の第４の発明は、
光を出射する光源と、
光源から出射された光の特性を改善し、液晶パネルに対して出射する光学素子包括体と
を備え、
光学素子包括体は、
１または２以上の光学素子と、
１または２以上の光学素子を支持する支持体と、
１または２以上の光学素子および支持体を覆う包括部材と
を備え、
１または２以上の光学素子と支持体とは、積層体をなし、
包括部材と光学素子または支持体とが接触する面の少なくとも一部が、粗面であるバックライトである。
【手続補正４】
【補正対象書類名】明細書
【補正対象項目名】００１４
【補正方法】変更
【補正の内容】
【００１４】
この発明の第５の発明は、
光を出射する光源と、
光源から出射された光の特性を改善する光学素子包括体と、
光学素子包括体により特性が改善された光に基づき、画像を表示する液晶パネルと
を備え、
光学素子包括体は、
１または２以上の光学素子と、
１または２以上の光学素子を支持する支持体と、
１または２以上の光学素子および支持体を覆う包括部材と
を備え、
１または２以上の光学素子と支持体とは、積層体をなし、
包括部材と光学素子または支持体とが接触する面の少なくとも一部が、粗面である液晶表示装置である。
【手続補正５】
【補正対象書類名】明細書
【補正対象項目名】００１５
【補正方法】変更
【補正の内容】
【００１５】
この発明では、１または２以上の光学素子と支持体とを包括部材により覆っているので、１または２以上の光学素子と支持体とを一体化することができる。したがって、支持体により光学素子の剛性不足を補うことができる。